(57)【要約】【課題】検圧通路への異物の侵入を抑制しながら、上流通路の湯水の供給圧力を大気開放弁に十分に伝えることが可能な逆流防止装置を提供する。【解決手段】浴槽に湯水を供給するための供給通路を開閉弁で開閉可能であり、開閉弁よりも下流側の下流通路に大気開放弁を接続すると共に、開閉弁よりも上流側の上流通路４と大気開放弁とを検圧通路７で連通させる。大気開放弁は、検圧通路７を介して上流通路４における湯水の供給圧力を受けて所定圧力以上であれば閉弁し、上流通路４で湯水の供給圧力が低下すると開弁して下流通路の湯水を排出する。また、上流通路４の内側に筒部材４２を挿入し、上流通路４の内壁面と筒部材４２との間に、筒部材４２の上流端側から湯水が流入可能な隙間Ａを有する流入領域４０ａを設ける。そして、検圧通路７を、上流通路４側の入口７ａが流入領域４０ａの隙間Ａに囲まれた状態で上流通路４の内壁面に開口するように接続しておく。【選択図】図５
2020200951.tif 000002
【特許請求の範囲】
【請求項１】
浴槽に湯水を供給するための供給通路に設けられて、前記浴槽からの湯水の逆流を防ぐ逆流防止装置において、
前記供給通路を開閉する開閉弁よりも下流側の下流通路に接続されると共に、前記開閉弁よりも上流側の上流通路における湯水の供給圧力を受けて所定圧力以上であると閉弁し、前記上流通路で湯水の供給圧力が前記所定圧力よりも低下すると開弁して前記下流通路の湯水を排出する大気開放弁と、
前記上流通路と前記大気開放弁とを連通させて、前記上流通路の湯水の供給圧力を前記大気開放弁へと導く検圧通路と、
前記上流通路の内側に挿入された筒部材と
を備え、
前記上流通路の内壁面と前記筒部材との間には、前記筒部材の上流端側から湯水が流入可能な隙間を有する流入領域が設けられており、
前記検圧通路は、前記上流通路側の入口が前記流入領域の前記隙間に囲まれて前記上流通路の内壁面に開口している
ことを特徴とする逆流防止装置。
【請求項２】
請求項１に記載の逆流防止装置において、
前記流入領域は、前記上流通路の内壁面の全周にわたって設けられている
ことを特徴とする逆流防止装置。
【請求項３】
請求項１または請求項２に記載の逆流防止装置において、
前記上流通路は、湯水の流通方向に垂直な平面で切断した断面形状が円形であり、
前記筒部材は、湯水の流れを受けて回転する羽根車を内蔵した流量センサの外枠を構成する円筒形状の外周壁である
ことを特徴とする逆流防止装置。
【請求項４】
請求項１ないし請求項３の何れか一項に記載の逆流防止装置において、
前記上流通路に対して前記筒部材が上流から下流に向けて挿入され、
前記筒部材の上流側は、前記上流通路の内壁面に沿った環状の止め輪によって抜け止めされている
ことを特徴とする逆流防止装置。
【発明の詳細な説明】
【技術分野】
【０００１】
本発明は、浴槽に湯水を供給するための供給通路に設けられて、浴槽からの湯水の逆流を防ぐ逆流防止装置に関する。
【背景技術】
【０００２】
浴槽に湯水を供給するための供給通路には、浴槽からの湯水の逆流を防ぐ逆流防止装置が設置されているのが一般的である。こうした逆流防止装置は、供給通路を開閉する開閉弁よりも下流側（下流通路）に接続された大気開放弁や、供給通路の開閉弁よりも上流側（上流通路）と大気開放弁とを連通させる検圧通路などで構成されている。大気開放弁は、開弁バネによって開弁する方向に付勢されると共に、検圧通路を介して上流通路の湯水の供給圧力を受けて所定圧力以上であると、開弁バネの付勢力に抗して閉弁状態になっている。そして、断水などによって上流通路で湯水の供給圧力が所定圧力よりも低下すると、開弁バネの付勢力で大気開放弁が開弁し、下流通路の湯水を排出するため、浴槽から上流通路への湯水の逆流を防ぐことができる。
【０００３】
このような逆流防止装置では、上流通路に供給される湯水に混入した異物が検圧通路に入って詰まると、上流通路の湯水の供給圧力が大気開放弁に伝わらなくなり、大気開放弁が開弁したままの開故障が生じる。そこで、上流通路に開口する検圧通路の入口を狭くすると共に、ストレーナを配置することで検圧通路への異物の侵入を防ぐ構造が提案されている（特許文献１）。
【先行技術文献】
【特許文献】
【０００４】
【特許文献１】特開２０１８−９１３９６号公報
【発明の概要】
【発明が解決しようとする課題】
【０００５】
しかし、特許文献１に提案されている構造では、ストレーナの分の部品点数が増えるだけでなく、検圧通路の入口における流路面積が小さいので、上流通路から大気開放弁への湯水の供給圧力の伝達が不十分となり易く、上流通路で湯水の供給圧力が低下していないのに大気開放弁が開弁してしまう不具合が生じることがあるという問題があった。
【０００６】
この発明は従来の技術における上述した課題に対応してなされたものであり、検圧通路への異物の侵入を抑制しながら、上流通路の湯水の供給圧力を大気開放弁に十分に伝えることが可能な逆流防止装置の提供を目的とする。
【課題を解決するための手段】
【０００７】
上述した課題を解決するために、本発明の逆流防止装置は次の構成を採用した。すなわち、
浴槽に湯水を供給するための供給通路に設けられて、前記浴槽からの湯水の逆流を防ぐ逆流防止装置において、
前記供給通路を開閉する開閉弁よりも下流側の下流通路に接続されると共に、前記開閉弁よりも上流側の上流通路における湯水の供給圧力を受けて所定圧力以上であると閉弁し、前記上流通路で湯水の供給圧力が前記所定圧力よりも低下すると開弁して前記下流通路の湯水を排出する大気開放弁と、
前記上流通路と前記大気開放弁とを連通させて、前記上流通路の湯水の供給圧力を前記大気開放弁へと導く検圧通路と、
前記上流通路の内側に挿入された筒部材と
を備え、
前記上流通路の内壁面と前記筒部材との間には、前記筒部材の上流端側から湯水が流入可能な隙間を有する流入領域が設けられており、
前記検圧通路は、前記上流通路側の入口が前記流入領域の前記隙間に囲まれて前記上流通路の内壁面に開口している
ことを特徴とする。
【０００８】
このような本発明の逆流防止装置では、検圧通路が上流通路の内壁面と筒部材との隙間を介して上流通路と連通するため、検圧通路の入口が上流通路にむき出しである場合に比べて、検圧通路への異物の侵入を抑制することができる。しかも、上流通路の内壁面と筒部材との隙間は狭くなっているものの、検圧通路の入口の全周が隙間に囲まれて連通していることによって、検圧通路に流入する湯水の総流路面積を大きく確保できるので、上流通路の湯水の供給圧力を大気開放弁に十分に伝えることが可能となる。
【０００９】
上述した本発明の逆流防止装置では、流入領域を、上流通路の内壁面の全周にわたって設けておいてもよい。
【００１０】
このようにすれば、上流通路の内壁面の全周のうち検圧通路の入口が開口する側の一部の領域だけに入口を囲んで隙間が設けられている場合に比べて、湯水が筒部材の上流端側から隙間に流入して検圧通路の入口に至るルートを確保し易いため、上流通路の湯水の供給圧力を大気開放弁に伝達する上で有利となる。
【００１１】
また、こうした本発明の逆流防止装置では、上流通路を湯水の流通方向に垂直な平面で切断した断面形状を円形とすると共に、筒部材として、湯水の流れを受けて回転する羽根車を内蔵した流量センサの外枠を構成する円筒形状の外周壁を用いてもよい。
【００１２】
このようにすれば、上流通路に設置される流量センサの外周壁を流用して上流通路の内壁面との間に隙間が設けられるので、筒部材を別途追加する必要がなく、簡便に実現することが可能となる。
【００１３】
また、こうした本発明の逆流防止装置では、上流通路に対して筒部材を上流から下流に向けて挿入することとして、筒部材の上流側を、上流通路の内壁面に沿った環状の止め輪によって抜け止めしておいてもよい。
【００１４】
このようにすれば、上流通路の内壁面と筒部材との隙間の上流側が止め輪によって覆われることにより、湯水が筒部材の上流端側から隙間に流入する経路を屈曲させることができるので、検圧通路への異物の侵入を一層抑制することが可能となる。
【図面の簡単な説明】
【００１５】
【図１】浴槽２に湯張りを行う湯張りシステム１の全体構成を示した説明図である。
【図２】本実施例の湯張り制御ユニット２０の構成を示した説明図である。
【図３】大気開放弁２６の構造を例示した断面図である。
【図４】給水通路４と検圧通路７との接続部分を拡大して示した斜視図である。
【図５】給水通路４の内側に流量センサ６が挿入された状態で、給水通路４の中心線および検圧通路７の中心線を含む平面で切断した接続部分の断面図である。
【図６】給水通路４の内側に流量センサ６が挿入された状態で、給水通路４の中心線に垂直で検圧通路７の中心線を含む平面で切断した接続部分の断面図である。
【発明を実施するための形態】
【００１６】
図１は、浴槽２に湯張りを行う湯張りシステム１の全体構成を示した説明図である。図示されるように湯張りシステム１は、湯を生成する給湯装置１０と、給湯装置１０から浴槽２に湯水を供給するための給湯通路５と、給湯通路５の途中に設けられて湯張りを制御する湯張り制御ユニット２０とを備えている。
【００１７】
給湯装置１０は、ガス通路３を通じて供給された燃料ガスを燃焼させるバーナ１１と、バーナ１１に燃焼用空気を送る燃焼ファン１２と、バーナ１１での燃焼によって生じた燃焼排気と熱交換するための熱交換器１３とを備えている。熱交換器１３には、給水通路４を通じて上水が供給されており、供給された上水は熱交換器１３で燃焼排気との熱交換によって加熱された後、湯となって給湯通路５へと流出する。熱交換器１３に接続された給水通路４には、熱交換器１３に供給される上水の流量を検知する流量センサ６が設けられている。尚、本実施例の給水通路４および給湯通路５は、本発明の「供給通路」に相当している。
【００１８】
熱交換器１３の下流側に接続された給湯通路５には、湯張り制御ユニット２０が設けられており、湯張り制御ユニット２０を介して湯水が浴槽２に供給される。また、詳しくは後述するが、湯張り制御ユニット２０には、給水通路４から分岐した検圧通路７が接続されており、給水通路４における上水の供給圧力が検圧通路７を介して湯張り制御ユニット２０に導かれるようになっている。
【００１９】
図２は、本実施例の湯張り制御ユニット２０の構成を示した説明図である。図示されるように湯張り制御ユニット２０は、湯張り電磁弁２１と、２つの逆止弁（第１逆止弁２２および第２逆止弁２３）と、大気開放弁２６とを備えている。湯張り電磁弁２１は、給湯通路５を開閉可能であり、開弁によって湯張りを開始し、閉弁によって湯張りを停止する。本実施例の湯張り電磁弁２１には、周知のパイロット式電磁弁を用いているが、直動式電磁弁を用いてもよい。差圧を利用するパイロット式電磁弁は、一般的に直動式電磁弁に比べて小さな力で開閉するため、ソレノイドの小型化を図ると共に、消費電力を抑えることが可能である。尚、本実施例の湯張り電磁弁２１は、本発明の「開閉弁」に相当している。また、本実施例の湯張り電磁弁２１よりも上流側の給湯通路５および給水通路４が、本発明の「上流通路」に相当し、湯張り電磁弁２１よりも下流側の給湯通路５が、本発明の「下流通路」に相当している。
【００２０】
第１逆止弁２２および第２逆止弁２３は、湯張り電磁弁２１の下流側（浴槽２側）に直列に設けられており、給湯通路５を閉じる閉弁方向に付勢されている。湯張り電磁弁２１の開弁によって給湯装置１０から供給される湯水の圧力が所定の開弁圧力を上回ると、第１逆止弁２２および第２逆止弁２３が開弁して湯水を通過させるので、浴槽２に湯張りが行われる。そして、湯張り中（湯張り電磁弁２１の開弁中）に断水などの理由で給湯装置１０から供給される湯水の圧力が低下すると、第１逆止弁２２および第２逆止弁２３が閉弁して、浴槽２側から給湯装置１０側に湯水が逆流するのを阻止する。また、２つの逆止弁（第１逆止弁２２および第２逆止弁２３）が直列になっているので、逆止弁が１つの場合によりも確実に湯水の逆流を阻止できる。
【００２１】
大気開放弁２６は、給湯通路５の第１逆止弁２２と第２逆止弁２３との間に引込通路３６を介して接続されている。大気開放弁２６には、前述した検圧通路７や、大気に開放された開放通路３７が接続されており、本実施例の逆流防止装置２５を構成している。湯張り中に上水の供給圧力が低下すると、大気開放弁２６が開弁することによって、仮に何らかの原因で第１逆止弁２２や第２逆止弁２３の閉弁が不完全であったとしても、浴槽２側から給湯装置１０側への湯水の逆流を防止することが可能となっている。
【００２２】
図３は、大気開放弁２６の構造を例示した断面図である。まず、図３（ａ）には、大気開放弁２６が閉弁した状態が示されている。図示されるように大気開放弁２６は、ダイヤフラム３０によって一次室３１と二次室３２とに仕切られた構造になっている。一次室３１には、検圧通路７が接続されており、給水通路４から上水が導かれる。一方、二次室３２は、引込通路３６を介して給湯通路５と接続されており、第１逆止弁２２と第２逆止弁２３との間の湯水が導かれる。また、二次室３２には、ダイヤフラム３０で支持された弁体３３や、弁体３３を一次室３１に向けて付勢する開弁バネ３５が設けられていると共に、大気に開放された開放通路３７が接続されている。
【００２３】
給水通路４に上水が正常に供給されていれば、検圧通路７を介して上水の供給圧力が一次室３１に導入されてダイヤフラム３０が二次室３２側に押し込まれるので、開弁バネ３５の付勢力に抗して弁体３３が弁座３４に押し付けられて大気開放弁２６は閉弁状態になっている。そして、湯張り中は、湯張り電磁弁２１の開弁によって給湯装置１０から供給される湯水の圧力が第１逆止弁２２や第２逆止弁２３を開弁させると共に、引込通路３６を介して大気開放弁２６の二次室３２に及ぶものの、一般に、給湯装置１０、湯張り電磁弁２１、第１逆止弁２２を経て供給される湯水の圧力に比べると上水の供給圧力の方が高いので、湯張り中も大気開放弁２６は閉弁状態のままである。
【００２４】
一方、断水などの理由で上水の供給圧力が低下すると、図３（ｂ）に示されるように、開弁バネ３５の付勢力でダイヤフラム３０が一次室３１側に押し戻されて弁体３３が弁座３４から離れることで大気開放弁２６が開放状態となる。その結果、第１逆止弁２２と第２逆止弁２３との間の湯水が大気開放弁２６を通過可能となり、開放通路３７を通って排出されるので、浴槽２から給湯装置１０への湯水の逆流を防ぐことができる。
【００２５】
このような大気開放弁２６を備えた逆流防止装置２５では、検圧通路７に異物が入って詰まると、大気開放弁２６の一次室３１に上水の供給圧力が十分に伝わらず、大気開放弁２６が開弁したままの開故障が発生する。そこで、本実施例の逆流防止装置２５では、検圧通路７への異物の侵入を抑制するために、以下のような構成を採用している。
【００２６】
図４は、給水通路４と検圧通路７との接続部分を拡大して示した斜視図である。本実施例の給水通路４は、検圧通路７の接続部分の直ぐ上流側（図中の下側）に設けられた継手４ａで分割可能になっており、図では分割された状態が示されている。そして、この継手４ａから給水通路４の内側に流量センサ６が挿入されるようになっている。
【００２７】
給水通路４は、上水の流通方向（図中の上下方向）に垂直な平面による断面形状が円形であり、その内径を拡げて流量センサ６を収容する収容部４０が形成されている。また、収容部４０には、流通方向の中央よりも上流側の内径を更に拡げて拡径部４０ａが設けられており、検圧通路７の入口７ａは拡径部４０ａの内壁面に開口している。さらに、収容部４０の上流側には、内径を拡径部４０ａよりも一段と拡げた大径部４１が設けられている。
【００２８】
流量センサ６は、外枠を構成する円筒形状の外周壁４２の内部に後述の羽根車を備えている。そして、流量センサ６は、給水通路４の収容部４０に収容された後、円環状の止め輪４６によって抜け止めされる。止め輪４６は、外周に径方向の外側に向けて突設された複数（本実施例では３つ）の凸部４６ａを有しており、これらの凸部４６ａが大径部４１の内壁面に接して圧入される。尚、本実施例の外周壁４２は、本発明の「筒部材」に相当している。
【００２９】
図５は、給水通路４の内側に流量センサ６が挿入された状態で、給水通路４の中心線および検圧通路７の中心線を含む平面で切断した接続部分の断面図である。図示されるように流量センサ６は、外周壁４２内に羽根車４３を備えており、羽根車４３の回転軸４３ａの両端が上流側軸受け部４４と下流側軸受け部４５とで回転可能に軸支されている。これらの軸受け部４４，４５は、外周壁４２の内側に放射状のスポークで上水が通過可能に支持されている。そして、流量センサ６では、外周壁４２内の上水の流れを受けて羽根車４３が回転するため、羽根車４３の回転速度に基づいて上水の流量を検知する。
【００３０】
こうした流量センサ６は、外周壁４２が給水通路４の内側の収容部４０に収容されている。また、収容部４０の中央よりも下流側（図中の上側）では内壁面と外周壁４２とが密接している。これにより、熱交換器１３に供給される上水は外周壁４２の内側を通過していくことから、熱交換器１３に供給される上水の流量を流量センサ６で正確に検知することができる。
【００３１】
一方、収容部４０の中央よりも上流側（図中の下側）には、前述したように拡径部４０ａが設けられており、この拡径部４０ａの内壁面と外周壁４２との間に隙間Ａが形成される。そして、検圧通路７の入口７ａは、拡径部４０ａの内壁面に開口しているため、外周壁４２で覆われつつ、入口７ａの全周が隙間Ａに囲まれて連通している。
【００３２】
また、外周壁４２は、上流側で大径部４１に圧入された円環状の止め輪４６によって抜け止めされている。これにより、拡径部４０ａの内壁面と外周壁４２との隙間Ａの上流側（図中の下側）は止め輪４６で覆われるものの、上水の流通方向（図中の上下方向）における収容部４０の長さよりも外周壁４２の長さが僅かに短くなっており、上水の流れで下流側に押される外周壁４２の上流端と止め輪４６とが接していないため、外周壁４２の上流端側から上水が隙間Ａに流入可能である。
【００３３】
図６は、給水通路４の内側に流量センサ６が挿入された状態で、給水通路４の中心線に垂直で検圧通路７の中心線を含む平面で切断した接続部分の断面図である。図示されるように給水通路４の拡径部４０ａの内壁面と流量センサ６の外周壁４２との隙間Ａは、給水通路４（拡径部４０ａ）の内壁面の全周にわたって設けられており、拡径部４０ａの内壁面に開口した検圧通路７の入口７ａと連通している。尚、本実施例では、流量センサ６の外周壁４２を収容する給水通路４の収容部４０のうち拡径部４０ａが設けられた領域が、本発明の「流入領域」に相当している。
【００３４】
以上に説明したように本実施例の逆流防止装置２５では、給水通路４の内側に流量センサ６が挿入され、外周壁４２を収容する収容部４０の中央よりも上流側に拡径部４０ａを設けることで拡径部４０ａの内壁面と外周壁４２との間に隙間Ａを有しており、この隙間Ａに外周壁４２の上流端側から上水が流入可能となっている。そして、検圧通路７の入口７ａは、拡径部４０ａの内壁面に開口しており、隙間Ａと連通している。これにより、検圧通路７は、拡径部４０ａの内壁面と外周壁４２との隙間Ａを介して給水通路４と連通するため、検圧通路７の入口７ａが給水通路４にむき出しである場合に比べて、検圧通路７への異物の侵入を抑制することができる。しかも、拡径部４０ａの内壁面と外周壁４２との隙間Ａは狭くなっているものの、検圧通路７の入口７ａの全周が隙間Ａに囲まれて連通していることによって、検圧通路７に流入する上水の総流路面積を大きく確保できるので、給水通路４の上水の供給圧力を大気開放弁２６に十分に伝えることが可能となる。
【００３５】
また、検圧通路７の入口７ａが開口する給水通路４（拡径部４０ａ）の内壁面の全周にわたって外周壁４２との間に隙間Ａが設けられていることにより、内壁面の全周のうち入口７ａが開口する側の一部の領域だけに入口７ａを囲んで隙間Ａが設けられている場合に比べて、上水が外周壁４２の上流端側から隙間Ａに流入して検圧通路７の入口７ａに至るルートを確保し易いため、給水通路４の上水の供給圧力を大気開放弁２６に伝達する上で有利となる。
【００３６】
また、給水通路４に設置される流量センサ６の外周壁４２を流用して給水通路４（拡径部４０ａ）の内壁面との間に隙間Ａを設けているため、筒部材を別途追加する必要がなく、簡便に実現することが可能となる。
【００３７】
さらに、外周壁４２を抜け止めする止め輪４６によって拡径部４０ａの内壁面と外周壁４２との隙間Ａの上流側が覆われていることにより、上水が外周壁４２の上流端側から隙間Ａに流入する経路を屈曲させることができるので、検圧通路７への異物の侵入を一層抑制することが可能となる。
【００３８】
以上、本実施例の逆流防止装置２５について説明したが、本発明は上記の実施例に限られるものではなく、その要旨を逸脱しない範囲において種々の態様で実施することが可能である。
【００３９】
例えば、前述した実施例では、給水通路４（拡径部４０ａ）の内壁面の全周にわたって外周壁４２との間に隙間Ａが設けられていたが、必ずしも全周に限られず、少なくとも検圧通路７の入口７ａが開口する側に入口７ａを囲んで隙間Ａが設けられていればよい。また、外周壁４２の上流端の外周のうち検圧通路７の入口７ａ側からは上水が流入不能であり、入口７ａとは反対側から流入した上水が外周壁４２の外側を回り込んで入口７ａの周囲に至るように隙間Ａを設けておいてもよい。ただし、実施例のように給水通路４の内壁面の全周にわたって隙間Ａを設けておけば、前述したように、上水が外周壁４２の上流端側から隙間Ａに流入して検圧通路７の入口７ａに至るルートを確保し易く、給水通路４の上水の供給圧力を大気開放弁２６に伝える上で有利となる。
【００４０】
また、前述した実施例では、検圧通路７の入口７ａが給水通路４に接続されていたが、検圧通路７の接続位置は、湯張り電磁弁２１よりも上流側であれば、給水通路４に限られず、熱交換器１３から湯張り電磁弁２１までの間の給湯通路５に接続してもよい。この場合、検圧通路７が接続される給湯通路５の内側に流量センサ６を挿入することとして、熱交換器１３から流出する湯水の流量を流量センサ６で検知可能としてもよい。
【００４１】
また、前述した実施例では、給水通路４の内壁面に拡径部４０ａを設けることで外周壁４２との間に隙間Ａを形成していた。しかし、外周壁４２の外径を縮めて縮径部を設けることで給水通路４の内壁面との間に隙間Ａを形成してもよい。もちろん、給水通路４の拡径部４０ａと外周壁４２の縮径部との両方で隙間Ａを形成してもよい。
【００４２】
また、前述した実施例では、流量センサ６の外周壁４２を流用して給水通路４（拡径部４０ａ）の内壁面との間に隙間Ａを設けていたが、流量センサ６に代えて、単なる筒部材を給水通路４の内側に挿入して隙間Ａを設けてもよい。この場合は、筒部材の中央よりも下流側が給水通路４（収容部４０）の内壁面と密接している必要はないので、上水が筒部材の内側だけでなく外側の隙間Ａを通過可能としてもよい。加えて、筒部材の外周に径方向の外側に向けて突出した複数の凸部を設けておくこととして、これらの凸部を給水通路４の内側に圧入して筒部材を固定することで、止め輪４６を省略してもよい。
【００４３】
さらに、前述した実施例では、上水の流通方向に垂直な平面で切断した給水通路４の内壁面や筒部材（外周壁４２）の断面形状が円形になっていたが、円形断面に限られず、矩形断面であってもよい。
【符号の説明】
【００４４】
１…湯張りシステム、      ２…浴槽、                    ３…ガス通路、
４…給水通路、            ４ａ…継手、                  ５…給湯通路、
６…流量センサ、          ７…検圧通路、                ７ａ…入口、
１０…給湯装置、          １１…バーナ、                １２…燃焼ファン、
１３…熱交換器、          ２０…湯張り制御ユニット、    ２１…湯張り電磁弁、
２２…第１逆止弁、        ２３…第２逆止弁、            ２５…逆流防止装置、
２６…大気開放弁、        ３０…ダイヤフラム、          ３１…一次室、
３２…二次室、            ３３…弁体、                  ３４…弁座、
３５…開弁バネ、          ３６…引込通路、              ３７…開放通路、
４０…収容部、            ４０ａ…拡径部、              ４１…大径部、
４２…外周壁、            ４３…羽根車、                ４３ａ…回転軸、
４４…上流側軸受け部、    ４５…下流側軸受け部、        ４６…止め輪、
４６ａ…凸部、            Ａ…隙間。
【図１】
2020200951.tif 000003
【図２】
2020200951.tif 000004
【図３】
2020200951.tif 000005
【図４】
2020200951.tif 000006
【図５】
2020200951.tif 000007
【図６】
2020200951.tif 000008